(57)【要約】      （修正有）【課題】楽曲がリリースされたおよその年代に基づいて、オーディオファイルを容易に見つけ出すことのできる「オーディオ処理装置及びオーディオファイル情報提示方法」を提供する。【解決手段】再生制御ウインドウにおいて、スライダ３０３３が移動操作されたならば、移動操作後にスライダ３０３３が位置する全年代選択スクロールバー３０３２の上下方向位置範囲に対応する年範囲に含まれる年をリリース年とするタグ情報を含んだオーディオファイル１５３の楽曲情報を、よりリリース年が新しいものがより上に位置するように配置したリストを、楽曲情報エリア３０３４に表示する（ａ）。そして、楽曲情報エリア３０３４上で、楽曲情報の選択を受け付け、再生制御ボタン群３０１の操作に応じて、選択されている楽曲情報に対応するオーディオファイル１５３の再生制御を行う。【選択図】図３
2007213748.tif 000002
【特許請求の範囲】
【請求項１】
楽曲のオーディオデータを格納すると共に、当該楽曲のリリース年を含む当該楽曲に関する情報である楽曲情報が設定されたオーディオファイルを複数記録した記録媒体から、前記オーディオファイルを読み出し処理するオーディオ処理装置であって、
スクロールバーを表示し、当該スクロールバーに対するユーザのスクロール操作に応じて、対象年範囲として設定する年の範囲を順次的に切り替える対象年範囲設定手段と、
前記対象年範囲に含まれるリリース年を含む楽曲情報が設定されている楽曲のオーディオデータを格納したオーディオファイルの楽曲情報の少なくとも一部の一覧を表示する一覧表示手段と、
前記一覧上で選択されたオーディオファイルを処理する処理手段とを有することを特徴とするオーディオ処理装置。
【請求項２】
請求項１記載のオーディオ処理装置であって、
前記対象年範囲設定手段は、スクロールバー上の各領域を各々年の範囲に対応づけると共に、前記各領域を当該領域に対応づけられた年の範囲に含まれるリリース年を含む楽曲情報が設定されている楽曲のオーディオデータを格納したオーディオファイルの数の大小のレベルに応じた表示形態で表示し、前記スクロール操作によって選択されるスクロールバー上の領域に対応づけられた年の範囲を前記対象年範囲として設定することを特徴とするオーディオ処理装置。
【請求項３】
請求項１または２記載のオーディオ処理装置であって、
ユーザからの検索要求に応じて、前記対象年範囲に含まれるリリース年を含む楽曲情報が設定されている楽曲のオーディオデータを格納したオーディオファイルを検索する検索手段を有することを特徴とするオーディオ処理装置。
【請求項４】
請求項１または２記載のオーディオ処理装置であって、
前記処理手段は、前記一覧上で選択されたオーディオファイルを再生することを特徴とするオーディオ処理装置。
【請求項５】
楽曲のオーディオデータを格納すると共に、当該楽曲のリリース年を含む当該楽曲に関する情報である楽曲情報が設定されたオーディオファイルに関する情報を、複数の前記オーディオファイルについて一括して提示するオーディオファイル情報提示方法であって、
スクロールバーを表示し、当該スクロールバーに対するユーザのスクロール操作に応じて、対象年範囲として設定する年の範囲を順次的に切り替えるステップと、
前記対象年範囲に含まれるリリース年を含む楽曲情報が設定されている楽曲のオーディオデータを格納したオーディオファイルの楽曲情報の少なくとも一部の一覧を表示するステップとを有することを特徴とするオーディオファイル情報提示方法。
【請求項６】
コンピュータによって読み取られ実行されるコンピュータプログラムであって、
前記コンピュータに、
スクロールバーを表示し、当該スクロールバーに対するユーザのスクロール操作に応じて、対象年範囲として設定する年の範囲を順次的に切り替えるステップと、
各々楽曲のオーディオデータを格納すると共に、当該楽曲のリリース年を含む当該楽曲に関する情報である楽曲情報が設定された、複数のオーディオファイルのうちの、前記対象年範囲に含まれるリリース年を含む楽曲情報が設定されている楽曲のオーディオデータを格納したオーディオファイルの楽曲情報の少なくとも一部の一覧を表示するステップとを実行させることを特徴とするコンピュータプログラム。
【発明の詳細な説明】
【技術分野】
【０００１】
本発明は、記録媒体に記録されたオーディオファイルを処理するオーディオ処理装置に関するものである。
【背景技術】
【０００２】
記録媒体に記録されたオーディオファイルを処理するオーディオ処理装置としては、たとえば、記録媒体に記録したオーディオファイルを、オーディオファイルにオーディオデータが格納されている楽曲のアーティストやジャンルやリリース年毎にグループ化すると共に、ユーザのグループの指定に従って指定されたグループに属する各楽曲を順次再生するオーディオ再生装置が知られている（たとえば、特許文献１）。
【特許文献１】特開2002-23771号公報
【発明の開示】
【発明が解決しようとする課題】
【０００３】
ＨＤＤなどの記憶媒体の大容量化に伴い、オーディオ再生装置においても膨大な数の楽曲を記憶媒体に記録可能となってきている。
そして、このために、ユーザが、再生したい楽曲のアーティストやアルバムやリリース年度などの楽曲情報を正確に憶ええていない場合には、当該楽曲を、記憶媒体に記憶した膨大な数の楽曲のうちから探し出すことが極めて困難となっている。
一方、一般的にユーザは、楽曲のアーティストやアルバムなどを正確に覚えていない又は初めから知らない場合であっても、楽曲がリリースされたおおよその年代は、その楽曲と他の思い出との結びつきなどに基づいて把握していることが多い。
そこで、本発明は、ユーザが、所望の楽曲を、当該所望の楽曲がリリースされたおよその年代に基づいて、容易に見つけ出して利用することのできるオーディオ処理装置を提供することを課題とする。
【課題を解決するための手段】
【０００４】
前記課題達成のために、本発明は、各々楽曲のオーディオデータを格納すると共に、当該楽曲のリリース年を含む当該楽曲に関する情報である楽曲情報が設定されたオーディオファイルを記録した記録媒体から、前記オーディオファイルを読み出し処理するオーディオ処理装置に、スクロールバーを表示し、当該スクロールバーに対するユーザのスクロール操作に応じて、対象年範囲として設定する年の範囲を順次的に切り替える対象年範囲設定手段と、前記対象年範囲に含まれるリリース年を含む楽曲情報が設定されている楽曲のオーディオデータを格納したオーディオファイルの楽曲情報の少なくとも一部の一覧を表示する一覧表示手段と、前記一覧上で選択されたオーディオファイルを処理する処理手段とを備えたものである。
【０００５】
このようなオーディオ処理装置によれば、ユーザは、スクロールバーに対するスクロール操作によって、容易に所望の年にリリースされた楽曲のオーディオファイルの情報の一覧を、年代順に閲覧することができる。したがって、ユーザは、所望の楽曲を、当該所望の楽曲がリリースされたおよその年代に基づいて、容易に見つけ出して利用することができるようになる。
【０００６】
ここで、このようなオーディオ処理装置は、前記対象年範囲設定手段において、スクロールバー上の各領域を各々年の範囲に対応づけると共に、前記各領域を当該領域に対応づけられた年の範囲に含まれるリリース年を含む楽曲情報が設定されている楽曲のオーディオデータを格納したオーディオファイルの数の大小のレベルに応じた表示形態で表示し、前記スクロール操作によって選択されるスクロールバー上の領域に対応づけられた年の範囲を前記対象年範囲として設定するように構成してもよい。
【０００７】
このようにすることにより、ユーザはスクロールバーの表示より、各年にリリースされたオーディオファイルの記録媒体への記憶状況を直接的に把握することができるようになる。
また、以上の各オーディオ処理装置には、さらに、ユーザからの検索要求に応じて、前記対象年範囲に含まれるリリース年を含む楽曲情報が設定されている楽曲のオーディオデータを格納したオーディオファイルを検索する検索手段を備えるようにしてもよい。
このようにすることにより、スクロールバーの利便性をさらに向上することができる。
また、以上の各オーディオ処理装置の処理手段を、前記一覧上で選択されたオーディオファイルを再生する手段として、当該オーディオ処理装置をオーディオ再生装置として構成するようにしてもよい。
また、前記課題達成のために、本発明は、各々楽曲のオーディオデータを格納すると共に、当該楽曲のリリース年を含む当該楽曲に関する情報である楽曲情報が設定された、複数のオーディオファイルに関する情報を提示するオーディオファイル情報提示方法として、スクロールバーを表示し、当該スクロールバーに対するユーザのスクロール操作に応じて、対象年範囲として設定する年の範囲を順次的に切り替えるステップと、前記対象年範囲に含まれるリリース年を含む楽曲情報が設定されている楽曲のオーディオデータを格納したオーディオファイルの楽曲情報の少なくとも一部の一覧を表示するステップとを備えたオーディオファイル情報提示方法を提供する。
【０００８】
このようなオーディオファイル情報提示方法によれば、ユーザは、スクロールバーに対するスクロール操作によって、容易に所望の年にリリースされた楽曲のオーディオファイルの情報の一覧を年代順に閲覧することができる。したがって、ユーザは、所望の楽曲を、当該所望の楽曲がリリースされたおよその年代に基づいて、容易に見つけ出して利用することができるようになる。
【発明の効果】
【０００９】
以上のように、本発明によれば、ユーザは、所望の楽曲を、当該所望の楽曲がリリースされたおよその年代に基づいて、容易に見つけ出して利用することができるようになる。
【発明を実施するための最良の形態】
【００１０】
以下、本発明の実施形態について、自動車に搭載される車載オーディオ装置への適用を例にとり説明する。
図１に、本実施形態に係る車載オーディオ装置の構成を示す。
図示するように、車載オーディオ装置１は、オーディオ処理装置１１、表示装置１２、スピーカやオーディオアンプ装置などのオーディオ出力装置１３、移動電話網などであるＷＡＮ２を介して楽曲サーバ３に接続するための移動電話端末などである無線通信装置１４、ＨＤＤ１５、ＣＤＤＡ１６１用のドライブ装置であるＣＤドライブ１６、入力装置１７とを有している。
【００１１】
そして、オーディオ処理装置１１は、ＣＰＵ１１１、メモリ１１２、表示装置１２に接続する表示インタフェース１１３、オーディオ出力装置１３に接続するオーディオ出力インタフェース１１４、無線通信装置１４に接続する通信インタフェース１１５、ＨＤＤ１５に接続するＨＤＤインタフェース１１６、ＣＤドライブ１６に接続するＣＤドライブインタフェース１１７、入力装置１７に接続する入力インタフェース１１８と、以上の各部を接続するバス１１９とを備えている。ここで、表示インタフェース１１３、オーディオ出力インタフェース１１４、通信インタフェース１１５、ＨＤＤインタフェース１１６、ＣＤドライブインタフェース１１７、入力インタフェース１１８は、各々接続する装置と、オーディオ処理装置１１との間との入出力を処理するものである。
【００１２】
一方、ＷＡＮ２に接続した楽曲サーバ３は、楽曲を格納したオーディオファイルを蓄積した楽曲ファイルデータベース３１、ＷＡＮ２を介した車載オーディオ装置１からの要求などに応じて楽曲ファイルデータベース３１に格納されたオーディオファイルを検索する楽曲検索エンジン３２、楽曲ファイルデータベース３１に蓄積されているオーディオファイルをＷＡＮ２を介して車載オーディオ装置１に配信する楽曲ファイルサーバ３３とを備えている。
【００１３】
さて、車載オーディオ装置１のオーディオ処理装置１１のＨＤＤ１５には予めコンピュータプログラムが格納されており、ＣＰＵ１１１のＨＤＤ１５に記憶されたコンピュータプログラムの実行により、オーディオ処理装置１１上に図２に示す機能構成が実現される。
すなわち、図２に示すように、オーディオ処理装置１１は、機能的には、オペレーティングシステム２０１と、オペレーティングシステム２０１上のアプリケーションプロセスであるミュージックプレイヤ２０２とを有する。そして、ミュージックプレイヤ２０２は、メイン制御部２０２１、ダウンロード処理部２０２２、再生処理部２０２３、リッピング処理部２０２４を有する。
【００１４】
次に、車載オーディオ装置１のＨＤＤ１５には、前述したコンピュータプログラムの他、ＣＤＤＢ１５１と、プレイリスト１５２と、オーディオファイル１５３が格納されている。
ここで、ＣＤＤＢ１５１は、各ＣＤＤＡ１６１の種類（アルバム）毎に、当該ＣＤＤＡ１６１に記録されている各楽曲のアルバム名やアーティスト名やタイトルやジャンルやリリース年などの属性情報を、ＣＤＤＡ１６１のＴＯＣ（Table Of Contents）情報に対応づけて登録したデータベースである。また、オーディオファイル１５３は、楽曲のオーディオデータを格納したファイルであり、オーディオファイル１５３中にはファイル名等が記述されたファイル情報とオーディオデータと共に、楽曲のアルバム名やアーティスト名やタイトルやジャンルやリリース年などのデータを示す文字情報であるタグ情報が格納されている。なお、このようなタグ情報としては、ＭＰ３（MPEG 1 AUDIO LAYER-3）フォーマットのオーディオファイル１５３で利用されている、ＩＤ３タグ情報などが知られている。また、プレイリスト１５２は、このようなオーディオファイル１５３の、ユーザによって設定等されたグループを定義したものであり、当該グループを単位としてオーディオファイル１５３を再生するためなどに用いられる。
【００１５】
次に、ＣＤＤＡ１６１には、ＴＯＣ情報と、各々が一つの楽曲の楽曲データであるオーディオトラックが記録されている。ＴＯＣ情報は、ＣＤＤＡ１６１に記録されているオーディオトラックの数や各オーディオトラックの長さ等を示しており、したがって、実質上、ＣＤＤＡ１６１の種類（アルバム）毎に異なる値を持つ。そして、このため、このＴＯＣ情報は、ＣＤＤＡ１６１の種類（アルバム）を識別するための識別情報として利用することができる。
【００１６】
そして、このようなオーディオ処理装置１１の機能構成において、オペレーティングシステム２０１は、ミュージックプレイヤ２０２の各部の、ＨＤＤ１５に格納されたプレイリスト１５２やオーディオファイル１５３やＣＤＤＢ１５１や、ＣＤＤＡ１６１に記録されたＴＯＣ情報やオーディオトラックに対するアクセスや、表示装置１２や入力装置１７やオーディオ出力装置１３や無線通信装置１４との間の入出力を制御する。
【００１７】
以下、このような車載システムにおけるミュージックプレイヤ２０２の動作について説明する。
ミュージックプレイヤ２０２のメイン制御部２０２１は、ユーザからの要求操作に応じて、リッピング処理と楽曲再生処理を行う。
そして、リッピング処理では、リッピング処理部２０２４に、ＣＤＤＡ１６１のオーディオトラックのオーディオデータを格納したオーディオファイル１５３をＨＤＤ１５上に作成させる処理を行う。すなわち、この処理においてリッピング処理部２０２４は、ＣＤＤＡ１６１のオーディオトラックの各々について、当該オーディオトラックからオーディオデータを読み出して、MP3やAACなどの所定の符号化アリゴリズムに従って予め設定されたビットレートの符号化オーディオデータに符号化すると共に、ＣＤＤＡ１６１のTOC情報でＣＤＤＢ１５１を探索して求まる当該オーディオトラックの楽曲のアルバム名やアーティスト名やタイトルやジャンルやリリース年などのデータを示すタグ情報を生成する。そして、符号化したオーディオデータと生成したタグ情報を含めたオーディオファイル１５３を生成し、ＨＤＤ１５に格納する。
【００１８】
次に、メイン制御部２０２１は、楽曲再生処理を以下のように行う。
まず、メイン制御部２０２１は、適時、プレイリスト順表示モードと年代順表示モードとの二つのモードのうちのいずれかのモードの選択をユーザから受付け、選択されたモードを表示モードとして設定する。
そして、表示モードとして、プレイリスト順表示モードが設定されている場合には、ＨＤＤ１５に格納されているプレイリスト１５２の一覧を表示装置１２に表示すると共に、ユーザから一覧上でのプレイリスト１５２の選択を受付、選択されたプレイリスト１５２が規定するグループに含まれる各オーディオファイル１５３を順次ＨＤＤ１５から読み出して、読み出した各オーディオファイル１５３について、再生処理部２０２３にオーディオファイル１５３内のオーディオデータを復号してオーディオ出力装置１３から出力する再生処理を行わせる。
【００１９】
一方、表示モードとして、年代順表示モードが設定されている場合には、まず、図３ａに示す再生制御ウインドウを表示装置１２に表示する。
ここで、図示するように再生制御ウインドウには、再生/前方スキップ再生／後方スキップ再生などの再生動作を制御するための再生制御ボタン群３０１と、検索ボタン３０２と、再生するオーディオファイル１５３の選択を受け付けるためのオーディオファイル選択エリア３０３とが設けられている。
【００２０】
そして、メイン制御部２０２１は、図４に示す年代順リスト表示処理によって、オーディオファイル選択エリア３０３の表示を制御する。
すなわち、メイン制御部２０２１は、この処理で、まず、オーディオファイル選択エリア３０３に図３ａに示す表示スパン切替ボタン３０３１を表示する（ステップ４００）。そして、次に、ＨＤＤ１５に格納されている各オーディオファイル１５３を、オーディオファイル１５３に含まれるタグ情報が示すリリース年の順にソートする（ステップ４０２）。リリース年が同じオーディオファイル１５３については、タグ情報が示すアーティスト名やタイトルなどの予め定めた第２の項目の値に従ってソートする。
【００２１】
そして、オーディオファイル選択エリア３０３に図３ａに示す全年代選択スクロールバー３０３２を選択スクロールバーとして表示する（ステップ４０４）。ここで、図３ａに示すように、全年代選択スクロールバー３０３２は、１０年ごとの目盛を備えた、上方ほど現在に近い年が対応づけられるように、上下方向各位置に年を対応づけたバー（ものさし）であり、このバーに沿ってユーザが移動操作可能なスライダ３０３３を備えている。また、このバーの上下方向各位置の表示色が、その位置に対応する年をリリース年とするタグ情報を含んだオーディオファイル１５３の数が多いほど濃い色となるように、当該バーは表示される。
【００２２】
さて、図４に戻り、全年代選択スクロールバー３０３２を選択スクロールバーとして表示したならば、図３ａに示すように、スライダ３０３３が位置する選択スクロールバーの上下方向位置範囲に対応する年範囲に含まれる年をリリース年とするタグ情報を含んだオーディオファイル１５３の楽曲情報を、ステップ４０２で行ったソート順に従ってよりリリース年が新しいものがより上に位置するように配置したリストを、楽曲情報エリア３０３４に表示する（ステップ４０６）。ここで、オーディオファイル１５３の楽曲情報としては、そのオーディオファイル１５３のタグ情報に含まれるタイトルやアルバムやアーティストやジャンルなどを用いる。なお、楽曲情報のリストの全てが楽曲情報エリア３０３４に収まりきらない場合には、楽曲情報エリア３０３４における楽曲情報のリストは、リストスクロールバー３０３４１を用いたユーザのスクロール操作に応じてスクロール表示できるように表示する。この結果、たとえば、選択スクロールバーとして表示されている全年代選択スクロールバー３０３２の'９７と'９８に対応する位置にスライダ３０３３が位置している場合には、１９９７年と１９９８年にリリースされた楽曲のオーディオファイル１５３の楽曲情報が、よりリリース年の新しいものより順に楽曲情報エリア３０３４にリスト表示される。
【００２３】
次に、楽曲情報を表示したならば、ユーザのスライダ３０３３の移動操作の発生（ステップ４０８）と、表示スパン切替ボタン３０３１のユーザ操作の発生（ステップ４１０）を監視する。
そして、スライダ３０３３の移動操作が発生したならば（ステップ４０８）、移動操作方向に応じてスライダ３０３３を選択スクロールバー上で上下に移動し（ステップ４１６）、ステップ４０６に戻って、移動後のスライダ３０３３の選択スクロールバーの上下方向位置範囲に対応する年範囲に含まれる年をリリース年とするタグ情報を含んだオーディオファイル１５３の楽曲情報のリストの表示に、楽曲情報エリア３０３４の表示を更新し、ステップ４０８、４１０の監視を行う。この結果、たとえば、ユーザによって、スライダ３０３３が、選択スクロールバーとして表示されている全年代選択スクロールバー３０３２の'８１と'８２に対応する位置に移動された場合には、楽曲情報エリア３０３４の表示は、１９８１年と１９８２年にリリースされた楽曲のオーディオファイル１５３の楽曲情報が、よりリリース年の新しいものより順にリスト表示されたものに変化する。
【００２４】
一方、表示スパン切替ボタン３０３１のユーザ操作が発生した場合には（ステップ４１０）、現在選択スクロールバーとして全年代選択スクロールバー３０３２を表示しているかどうかを調べ（ステップ４１２）、全年代選択スクロールバー３０３２を表示している場合には、１０年毎の年代のうちの、スライダ３０３３の位置に対応する年範囲のうちの最近の年を含む年代を対象年代とし、全年代選択スクロールバー３０３２の表示を消去すると共に、図４ｂに示す各年選択スクロールバー３０３５を選択スクロールバーとして表示する（ステップ４１４）。すなわち、たとえば、選択スクロールバーとして全年代選択スクロールバー３０３２を表示しており、全年代選択スクロールバー３０３２の'９７と'９８に対応する位置にスライダ３０３３が位置しているときに、表示スパン切替ボタン３０３１のユーザ操作が発生したならば、１９９７年を含む１９９０年代についての各年選択スクロールバー３０３５を選択スクロールバーとして表示する。
【００２５】
ここで、図４ｂに示すように、各年選択スクロールバー３０３５は、対応する１０年毎の年代に含まれる各年の目盛を備えた、上方ほど現在に近い年が対応づけられるように、上下方向各位置に年を対応づけたバー（ものさし）であり、前述したスライダ３０３３は、このバーに沿ってユーザが移動操作可能なように設けられている。また、このバーの上下方向各位置の表示色が、その位置に対応する年をリリース年とするタグ情報を含んだオーディオファイル１５３の数が多いほど濃い色となるように、当該バーは表示される。なお、選択スクロールバーを全年代選択スクロールバー３０３２から各年選択スクロールバー３０３５に切り替えた場合には、切り替え前の全年代選択スクロールバー３０３２上のスライダ３０３３の位置に対応する年のうちの最近年に対応する、切り替え後の各年選択スクロールバー３０３５の位置にスライダ３０３３を自動配置するようにする。
【００２６】
さて、このように各年選択スクロールバー３０３５を選択スクロールバーとして表示したならば、ステップ４０６に戻って、スライダ３０３３の選択スクロールバーの上下方向位置範囲に対応する年範囲に含まれる年をリリース年とするタグ情報を含んだオーディオファイル１５３の楽曲情報のリストの表示に、楽曲情報エリア３０３４の表示を更新し、ステップ４０８、４１０の監視を行う。この結果、たとえば、スライダ３０３３が、選択スクロールバーとして表示されている各年選択スクロールバー３０３５の'９５に対応する位置にある場合には、楽曲情報エリア３０３４の表示は、１９９５年にリリースされた楽曲のオーディオファイル１５３の楽曲情報がリスト表示されたものに変化する。
【００２７】
また、このように各年選択スクロールバー３０３５を選択スクロールバーとして表示した後に、スライダ３０３３がユーザによって移動操作された場合には（ステップ４０８）、移動操作に応じてスライダ３０３３が移動され（ステップ４１６）、移動後のスライダ３０３３に対応する各年選択スクロールバー３０３５上の位置に対応する年をリリース年とするタグ情報を含んだオーディオファイル１５３の楽曲情報のリストの表示に、楽曲情報エリア３０３４の表示は更新される（ステップ４０６）ことになる。結果、たとえば、ユーザがスライダ３０３３を、選択スクロールバーとして表示されている各年選択スクロールバー３０３５の'９７に対応する位置に移動した場合には、楽曲情報エリア３０３４の表示は、１９９７年にリリースされた楽曲のオーディオファイル１５３の楽曲情報がリスト表示されたものに変化する。
【００２８】
次に、表示スパン切替ボタン３０３１のユーザ操作が発生した場合に（ステップ４１０）、現在選択スクロールバーとして全年代選択スクロールバー３０３２を表示していない場合（ステップ４１２）、すなわち、現在選択スクロールバーとして各年選択スクロールバー３０３５を表示している場合には、ステップ４０４に戻って、各年選択スクロールバー３０３５に代えて、選択スクロールバーとして全年代選択スクロールバー３０３２を表示し、ステップ４０６以降の処理を前述のように行う。なお、選択スクロールバーを各年選択スクロールバー３０３５から全年代選択スクロールバー３０３２に切り替えた場合には、切り替え前の各年選択スクロールバー３０３５上のスライダ３０３３の位置に対応する年が、にスライダ３０３３に対応する年範囲の最近年となる、切り替え後の全年代選択スクロールバー３０３２の位置にスライダ３０３３を自動配置するようにする。
【００２９】
以上、メイン制御部２０２１が、再生制御ウインドウのオーディオファイル選択エリア３０３の表示を制御するために行う年代順リスト表示処理について説明した。
さて、メイン制御部２０２１は、このようにして表示したオーディオファイル選択エリア３０３の楽曲情報エリア３０３４上で楽曲情報の選択を受け付ける。そして、楽曲情報エリア３０３４上で、いずれかの楽曲情報が選択されている状態において、再生制御ボタン群３０１の操作が発生した場合には、選択されている楽曲情報に対応するオーディオファイル１５３の発生した操作に応じた再生制御を再生処理部２０２３を用いて行う。すなわち、たとえば、再生制御ボタン群３０１の操作によって楽曲の再生がユーザから指示されたならば、楽曲情報エリア３０３４上で選択されている楽曲情報に対応するオーディオファイル１５３を読み出し、再生処理部２０２３に、読み出したオーディオファイル１５３内のオーディオデータを復号してオーディオ出力装置１３から出力する再生処理を行わせる。
【００３０】
また、メイン制御部２０２１は、検索ボタン３０２がユーザによって操作された場合には、図５ａに示す検索ウインドウを表示する。
図示するように、検索ウインドウには、オーディオファイル１５３を検索するための検索条件を入力するための入力ボックス５０１と、検索実行ボタン５０２が設けられている。ここで、入力ボックス５０１としては、リリース年、アーティスト、アルバム、ジャンル、タイトルなどの各項目の検索条件を入力するための入力ボックス５０１を設ける。また、メイン制御部２０２１は、検索ウインドウを表示するときに、リリース年の入力ボックス５０１に、スライダ３０３３が位置する選択スクロールバー上の位置に対応する年または年範囲を自動入力する。
【００３１】
そして、メイン制御部２０２１は、入力ボックス５０１への検索条件の入力を受け付けると共に、検索実行ボタン５０２が操作されたならば、当該時点までに入力ボックス５０１に入力された検索条件を含めた検索要求を、ダウンロード処理部２０２２に、無線通信装置１４、ＷＡＮ２を介して楽曲サーバ３に発行させる。
【００３２】
楽曲サーバ３の楽曲検索エンジン３２は、検索要求を受け取ると楽曲ファイルデータベース３１から、検索要求に含まれる検索条件にマッチするオーディオファイルを検索し、検索したオーディオファイルの識別子と楽曲情報を検索結果として応答する。
ＷＡＮ２、無線通信装置１４、ダウンロード処理部２０２２を介して、楽曲サーバ３から検索結果を受け取ったメイン制御部２０２１は、図５ｂに示すようなダウンロードウインドウを表示し、ダウンロードウインドウの検索結果表示エリア５０３に、受け取った検索結果が示す各オーディオファイルの楽曲情報を、図４ａ、ｂに示したオーディオファイル選択エリア３０３の選択スクロールバーと楽曲情報エリア３０３４による楽曲情報の提示形態と同様の提示形態で表示し、ユーザによる、ダウンロードするオーディオファイルの楽曲情報の選択を受け付ける。なお、図示した例では、楽曲情報エリア３０３４の、各楽曲情報の表示の先頭位置に設けたチェックボックスによってダウンロードするオーディオファイルの楽曲情報の選択を受け付けている。
【００３３】
そして、いずれかの楽曲情報が選択された状態でダウンロードボタン５０４が操作されたならば、選択されている楽曲情報に対応するオーディオファイルの識別子を含むダウンロード要求を、ダウンロード処理部２０２２に、無線通信装置１４、ＷＡＮ２を介して楽曲サーバ３に発行させる。
【００３４】
楽曲サーバ３の楽曲ファイルサーバ３３は、ダウンロード要求を受け取ると、ダウンロード要求に含まれる識別子が示すオーディオファイルを楽曲データベースより読み出し、ダウンロード要求発行元の車載オーディオ装置１のダウンロード処理部２０２２に送信する。
【００３５】
ＷＡＮ２、無線通信装置１４を介して、楽曲ファイルサーバ３３よりオーディオファイルを受信したダウンロード処理部２０２２は、受信した各オーディオファイルをＨＤＤ１５に格納する。
以上、本発明の実施形態について説明した。
このように、本実施形態によれば、ユーザは、選択スクロールバーに対するスクロール操作によって、容易に所望の年にリリースされた楽曲のオーディオファイルのタイトルやアーティストやアルバムなどの楽曲情報の一覧を年代順に閲覧することができる。したがって、ユーザは、所望の楽曲を、当該所望の楽曲がリリースされたおよその年代に基づいて、容易に見つけ出して再生等利用することができるようになる。また、選択スクロールバーの各位置が、ＨＤＤ１５に記録されている当該位置に対応する年にリリースされた楽曲のオーディオファイル数に応じた色で表示されるので、ユーザはスクロールバーの表示より、各年にリリースされたオーディオファイル１５３のＨＤＤ１５への記憶状況を直接的に把握することができるようになる。
【００３６】
ところで、図４ａ、ｂで示した、選択スクロールバーとして表示する全年代選択スクロールバー３０３２や各年選択スクロールバー３０３５は、以下のように設けるようにしてもよい。すなわち、図６ａに全年代選択スクロールバー３０３２の場合を例にとり示すように、選択スクロールバーの各年に対応する上下方向範囲の大きさを、その年をリリース年とするオーディオファイル１５３の数に比例した大きさとすると共に、スライダ３０３３の上下方向の長さを、楽曲情報エリア３０３４に楽曲情報を表示可能なオーディオファイル１５３の数に相当する選択スクロールバー上の上下方向長さと同じ長さとする。また、楽曲情報エリア３０３４には、スライダ３０３３の位置に対応する選択スクロールバー上の範囲に相当する、前述のようにソートしたオーディオファイル列上の範囲のオーディオファイル１５３の楽曲情報を表示するようにする。
【００３７】
または、図４ａ、ｂで示した、選択スクロールバーとして表示する全年代選択スクロールバー３０３２や各年選択スクロールバー３０３５上で移動するスライダ３０３３は、以下のように設けるようにしてもよい。すなわち、図６ｂに全年代選択スクロールバー３０３２上にスライダ３０３３を表示した場合を例にとり示すように、スライダ３０３３の上下方向の長さを、スライダ３０３３に対応する選択スクロールバー上の範囲に対応する、前述のようにソートしたオーディオファイル列上の範囲のオーディオファイル１５３の数が、楽曲情報エリア３０３４に楽曲情報を表示可能なオーディオファイル１５３の数と同じとなるように変化させる。また、楽曲情報エリア３０３４には、スライダ３０３３の位置に対応する選択スクロールバー上の範囲に相当する、前述のようにソートしたオーディオファイル列上の範囲のオーディオファイル１５３の楽曲情報を表示するようにする。この結果、その年範囲をリリース年とするオーディオファイル数が多い年範囲に対応する全年代選択スクロールバー３０３２上の位置に移動されると、スライダ３０３３は６０１に示すように上下方向に小さくなり、その年月日範囲をリリース年とするオーディオファイル数が少ない年範囲に対応する全年代選択スクロールバー３０３２上の位置に移動されると、スライダ３０３３は６０２に示すように上下方向に大きくなることになる。
【００３８】
これらのようにすることにより、ユーザは、スライダ３０３３と選択スクロールバーの表示より直接的に、楽曲情報エリア３０３４に楽曲情報が表示されるオーディオファイル１５３のリリース年を制御、把握できるようになる。
なお、以上で示した年代順リスト表示処理によるオーディオファイル１５３にオーディオデータが格納された楽曲の楽曲情報を提示する技術は、オーディオファイル１５３を再生するオーディオ再生装置のみならず、オーディオファイル１５３を処理する任意の装置に同様に適用可能である。
【図面の簡単な説明】
【００３９】
【図１】本発明の実施形態に係る車載オーディオ装置の構成を示すブロック図である。
【図２】本発明の実施形態に係るオーディオ処理装置の機能構成を示すブロック図である。
【図３】本発明の実施形態に係る車載オーディオ装置の表示画面例を示す図である。
【図４】本発明の実施形態に係るオーディオ処理装置が行う年代順リスト表示処理を示すフローチャートである。
【図５】本発明の実施形態に係る車載オーディオ装置の表示画面例を示す図である。
【図６】本発明の実施形態に係る車載オーディオ装置の表示画面例を示す図である。
【符号の説明】
【００４０】
１…車載オーディオ装置、２…ＷＡＮ、３…楽曲サーバ、１１…オーディオ処理装置、１２…表示装置、１３…オーディオ出力装置、１４…無線通信装置、１５…ＨＤＤ、１６…ＣＤドライブ、１７…入力装置、３１…楽曲ファイルデータベース、３２…楽曲検索エンジン、３３…楽曲ファイルサーバ、１１１…ＣＰＵ、１１３…表示インタフェース、１１４…オーディオ出力インタフェース、１１５…通信インタフェース、１１６…ＨＤＤインタフェース、１１７…ＣＤドライブインタフェース、１１８…入力インタフェース、１１９…バス、１５１…ＣＤＤＢ、１５２…プレイリスト、１５３…オーディオファイル、１６１…ＣＤＤＡ、２０１…オペレーティングシステム、２０２…ミュージックプレイヤ、３０１…再生制御ボタン群、３０２…検索ボタン、３０３…オーディオファイル選択エリア、５０１…入力ボックス、５０２…検索実行ボタン、５０３…検索結果表示エリア、５０４…ダウンロードボタン、２０２１…メイン制御部、２０２２…ダウンロード処理部、２０２３…再生処理部、２０２４…リッピング処理部、３０３１…表示スパン切替ボタン、３０３２…全年代選択スクロールバー、３０３３…スライダ、３０３５…年選択スクロールバー、３０３４…楽曲情報エリア、３０３４１…リストスクロールバー。
【図１】
2007213748.tif 000003
【図２】
2007213748.tif 000004
【図３】
2007213748.tif 000005
【図４】
2007213748.tif 000006
【図５】
2007213748.tif 000007
【図６】
2007213748.tif 000008